(57)【要約】【課題】加硫ゴム成形体からの老化防止剤の溶出を抑制することができる液体封入型防振装置を提供する。【解決手段】上部保持部材１１に一体形成された加硫ゴム成形体１３と、下部保持部材１２に固定されたダイヤフラム１４とからなる液体密封空間が、オリフィス１７が形成された仕切り部材１６により上下の２室に仕切られており、この液体密封空間に密封状態で収容されている液体１５が接する加硫ゴム成形体１３およびダイヤフラム１４の部分に、ＮＢＲ，Ｈ−ＮＢＲ，アクリルゴム，フッ素ゴムおよびＩＩＲからなる群から選ばれた少なくとも一つを含有するゴム組成物からなる塗膜Ａが形成されている。【選択図】図１
2007205550.tif 000002
【特許請求の範囲】
【請求項１】
液体を密封状態で収容する液体密封空間と、この液体密封空間を複数の室に仕切る仕切り部と、この仕切り部に設けられるオリフィスと、上記液体密封空間の少なくとも一部を形成する加硫ゴム成形体と、この加硫ゴム成形体を保持する保持部材とを備え、上記加硫ゴム成形体の、上記液体が接する部分に、下記の（Ａ）を含有するゴム組成物からなる塗膜が形成されていることを特徴とする液体封入型防振装置。
（Ａ）アクリロニトリル−ブタジエンゴム，水素添加アクリロニトリル−ブタジエンゴム，アクリルゴム，フッ素ゴムおよびブチルゴムからなる群から選ばれた少なくとも一つ。
【請求項２】
上記加硫ゴム成形体と対向して加硫ゴムからなるダイヤフラムが設けられ、このダイヤフラムと上記加硫ゴム成形体とにより上記液体密封空間が形成され、上記ダイヤフラムの、上記液体が接する部分にも、上記塗膜が形成されている請求項１記載の液体封入型防振装置。
【請求項３】
上記保持部材が、互いに外径の異なる２個の筒状体からなり、一方の保持部材が他方の保持部材の外側に同軸的に配置され、これら保持部材の間に、上記加硫ゴム成形体が略筒状に形成されて同軸的に配置され、上記加硫ゴム成形体の外周面に凹部が形成され、この凹部の開口を塞ぐように加硫ゴム層が設けられ、この加硫ゴム層と上記凹部とにより上記液体密封空間が形成され、上記加硫ゴム層の、上記液体が接する部分にも、上記塗膜が形成されている請求項１記載の液体封入型防振装置。
【請求項４】
上記塗膜の厚みが、１００〜１０００μｍの範囲内に設定されている請求項１〜３のいずれか一項に記載の液体封入型防振装置。
【発明の詳細な説明】
【技術分野】
【０００１】
本発明は、自動車や産業機械等に使用される液体封入型防振装置に関するものである。
【背景技術】
【０００２】
自動車や産業機械等に使用されるエンジンマウント，ミッションマウント，サスペンションブッシュ，モータマウント等の防振装置として、液体封入型のものが賞用されている。例えば、エンジンマウントは、図４に示すように、振動源であるエンジンに取り付けられる上部保持部材１１と、車体やフレーム等に取り付けられる下部保持部材１２とが、加硫ゴム成形体１３および筒状体１８を介して一体化されている。そして、下部保持部材１２にダイヤフラム１４が取り付けられており、このダイヤフラム１４と加硫ゴム成形体１３との間に、液体１５が密封状態で収容された液体密封空間が形成されている。さらに、この液体密封空間は、オリフィス１７が形成された仕切り部材１６により、上下２室に仕切られており、その２室間で上記液体がオリフィスを通って流動するようになっている（例えば、特許文献１参照）。
【０００３】
そして、上記加硫ゴム成形体１３の弾性による振動吸収作用および上記液体密封空間内で液体１５がオリフィス１７を通ることによる流動作用等により、上記エンジンマウントは、防振効果を発揮している。
【特許文献１】特開２００５−３３７３４８号公報
【発明の開示】
【発明が解決しようとする課題】
【０００４】
近年、自動車においては、燃費低減，排ガス規制，車外騒音規制等に対応するため、エンジンルーム内の温度が上昇する傾向にある。これを受け、エンジンマウントの耐熱性向上が強く求められている。そこで、エンジンマウントを構成する加硫ゴム成形体１３を耐熱性のあるものにすると、今度は、エンジンマウントの耐久性や動特性が悪化するという問題が生じる。
【０００５】
そこで、本発明者は、その耐久性や動特性の悪化の原因について、研究を重ねた。その結果、その原因の一つとしては、加硫ゴム成形体１３から老化防止剤が液体１５に溶出することにあることを突き止めた。すなわち、老化防止剤の溶出により、加硫ゴム成形体１３が老化し易くなり、その結果、耐久性や動特性が悪化していたことがわかった。また、ダイヤフラム１４からも老化防止剤が液体に溶出することを突き止めた。
【０００６】
本発明は、このような事情に鑑みなされたもので、加硫ゴム成形体からの老化防止剤の溶出を低下させることができる液体封入型防振装置の提供をその目的とする。
【課題を解決するための手段】
【０００７】
上記の目的を達成するため、本発明の液体封入型防振装置は、液体を密封状態で収容する液体密封空間と、この液体密封空間を複数の室に仕切る仕切り部と、この仕切り部に設けられるオリフィスと、上記液体密封空間の少なくとも一部を形成する加硫ゴム成形体と、この加硫ゴム成形体を保持する保持部材とを備え、上記加硫ゴム成形体の、上記液体が接する部分に、下記の（Ａ）を含有するゴム組成物からなる塗膜が形成されているという構成をとる。
（Ａ）アクリロニトリル−ブタジエンゴム，水素添加アクリロニトリル−ブタジエンゴム，アクリルゴム，フッ素ゴムおよびブチルゴムからなる群から選ばれた少なくとも一つ。
【０００８】
本発明者は、液体封入型防振装置において、加硫ゴム成形体から老化防止剤が液体に溶出しないようにすべく、研究を重ねた。その過程で、加硫ゴム成形体の、上記液体が接する部分に、塗膜を形成することにより、加硫ゴム成形体と液体とを遮断することを着想し、その塗膜の材料について研究を重ねた。その結果、上記塗膜の材料として、上記の（Ａ）を含有するゴム組成物を用いると、上記塗膜が同様のゴムからなり、加硫ゴム成形体となじみ性がよくなるため、上記塗膜は加硫ゴム成形体と強固に密着し、しかも、加硫ゴム成形体の振動や変形に対して優れた追従性を示すことがわかった。そして、加硫ゴム成形体から老化防止剤が長期にわたって液体に溶出しなくなることを見出し、本発明に到達した。
【発明の効果】
【０００９】
本発明の液体封入型防振装置は、加硫ゴム成形体の、液体が接する部分に、上記の（Ａ）を含有するゴム組成物からなる塗膜が形成されているため、その塗膜は、加硫ゴム成形体に対して密着性および追従性に優れ、加硫ゴム成形体から液体への老化防止剤の溶出を長期にわたって防止することができる。その結果、防振装置としての耐久性や動特性を良好に発揮することができる。
【００１０】
特に、上記塗膜の厚みが、１００〜１０００μｍの範囲内に設定されている場合には、適正な強度を有するとともに、加硫ゴム成形体の振動や変形に対する追従性を好適にすることができる。
【発明を実施するための最良の形態】
【００１１】
つぎに、本発明の実施の形態を図面にもとづいて詳しく説明する。但し、本発明は、これに限定されるわけではない。
【００１２】
図１は、本発明の液体封入型防振装置の一実施の形態を示している。この実施の形態では、本発明の液体封入型防振装置の一例として、自動車用のエンジンマウントについて説明する。このエンジンマウントの構成は、つぎのようになっている。すなわち、このエンジンマウントの上部には、エンジンに取り付けられる上部保持部材１１が設けられている。この上部保持部材１１は、略円板状の金具と、この金具の中心を上下方向に貫通するボルト１９ａとからなっている。このボルト１９ａは、螺子部が上記金具の上面から突出しており、頭部が上下に長く形成され、上記加硫ゴム成形体１３に埋設されている。
【００１３】
また、上部保持部材１１の下部には、振動吸収用の加硫ゴム成形体１３が一体的に形成されている。この加硫ゴム成形体１３は、略円柱状に形成されており、その上端部は、上記上部保持部材１１の金具の下面およびボルト１９ａの頭部を覆うように形成され、その上端部の外周部は、下方にいくにつれて徐々に拡径するように形成されている。また、その下端部は、下方に開口する凹部状に形成され、その凹部状表面（加硫ゴム成形体１３の下面）に、下記に詳述する本発明に係る塗膜Ａが形成されている。上記加硫ゴム成形体１３の材料は、特に限定されるものではないが、防振性の観点から、ジエン系ゴムが好ましい。そのジエン系ゴムとしては、特に限定はなく、例えば、天然ゴム（ＮＲ），イソプレンゴム（ＩＲ），ブタジエンゴム（ＢＲ），スチレン−ブタジエンゴム（ＳＢＲ）等があげられる。これらは単独でもしくは２種以上併せて用いられる。これらのなかでも、防振性能，耐久性の観点から、ＮＲが好適に用いられる。そして、必要に応じて、上記材料に、補強剤，加硫剤，加硫促進剤，老化防止剤，滑剤，助剤，可塑剤等が適宜に添加される。
【００１４】
また、加硫ゴム成形体１３の下部外周面には、筒状体１８が一体的に外嵌しており、この筒状体１８の下端開口部には、車体やフレームに取り付けられる下部保持部材１２が閉蓋状に内嵌している。上記筒状体１８は、金属製であり、その上部が、上記加硫ゴム成形体１３の上端部の拡径部分から下方部分において一体化しており、その下部が、上記下部保持部材１２の上部に外嵌している。また、上記下部保持部材１２は、略鍋状の本体金具と、この略鍋状の本体金具の底面の中心を上下方向に貫通するボルト１９ｂとからなっている。このボルト１９ｂは、螺子部が上記本体金具の下面から突出しており、頭部は略鍋状の本体金具の底面に位置決め固定されている。
【００１５】
さらに、下部保持部材１２の上端には、加硫ゴムからなるダイヤフラム１４が固定されている。上記ダイヤフラム１４は、略ドーム状に形成され、その略ドーム状の外周縁部と上記下部保持部材１２の略鍋状金具の上端開口縁部とが当接し、略鍋状金具の上端開口を閉蓋している。そして、このダイヤフラム１４の表面（上面）に、下記に詳述する本発明に係る塗膜Ａが形成されている。上記ダイヤフラム１４の材料は、特に限定されるものではないが、可撓性，応答性の観点から、ブチル系ゴム，ＮＲ，ＮＲ／ＢＲ，クロロプレンゴム（ＣＲ）が好ましい。
【００１６】
そして、ダイヤフラム１４と上記加硫ゴム成形体１３の下端部の凹部状との間の空間には、液体１５が密封されている。上記密封される液体１５は、特に限定されないが、例えば、エチレングリコール，プロピレングリコール，水等があげられ、これらは単独でもしくは２種以上併せて用いられる。
【００１７】
また、液体１５が密封状態で収容されている空間（液体密封空間）は、オリフィス１７が形成された仕切り部材１６により、上下の２室に仕切られており、上記液体１５は、オリフィス１７を通って２室を流動するようになっている。上記仕切り部材１６は、上記ダイヤフラム１４を覆うように、略ドーム状に形成されており、上記オリフィス１７は、仕切り部材１６の厚み方向に貫通するように形成されている。この仕切り部材１６の材料は、特に限定されないが、樹脂，金属等があげられる。また、上記略ドーム状の外周縁部は、上記ダイヤフラム１４の外周縁部上に当接しており、その状態で、上記下部保持部材１２の略鍋状金具の上端開口縁部と、ダイヤフラム１４の外周縁部と、仕切り部材１６の外周縁部と、加硫ゴム成形体１３の凹部状の外周縁部とが共に、上記筒状体１８の下端部で内嵌状にかしめられている。
【００１８】
動作において、このエンジンマウントに対し、その上部のエンジンから加わる振動は、加硫ゴム成形体１３で減衰され、さらに、その下側の液体密封空間内で、オリフィス１７を通って流動する液体１５により減衰され、車体等には、緩やかに伝えられる。
【００１９】
そして、このエンジンマウントには、上記加硫ゴム成形体１３およびダイヤフラム１４の、上記液体１５が接する部分に、先に述べた本発明に係る塗膜Ａが形成されている。この塗膜Ａの形成が本発明の特徴である。
【００２０】
より詳しく説明すると、上記塗膜Ａは、加硫ゴムからなる上記加硫ゴム成形体１３およびダイヤフラム１４から老化防止剤が液体１５に溶出するのを低下させ、それにより、上記エンジンマウント（液体封入型防振装置）の熱劣化を抑制し、耐久性や動特性を保持している。なお、上記老化防止剤としては、例えば、カルバメート系老化防止剤，フェニレンジアミン系老化防止剤，フェノール系老化防止剤，ジフェニルアミン系老化防止剤，キノリン系老化防止剤等があげられ、それ以外にワックス類も含まれる。
【００２１】
そのため、上記塗膜Ａの材料は、特定のものとなっている。すなわち、その材料は、アクリロニトリル−ブタジエンゴム（ＮＢＲ），水素添加アクリロニトリル−ブタジエンゴム（Ｈ−ＮＢＲ），アクリルゴム，フッ素ゴムおよびブチルゴム（ＩＩＲ）のいずれか、もしくは２種以上を主成分とするゴム組成物となっている。なお、必要に応じて、上記材料に、補強剤，加硫剤，加硫促進剤，滑剤，助剤，可塑剤等が適宜に添加される。ここで、主成分とは、ゴム組成物の過半を占める成分のことをいい、全体が主成分のみからなる場合も含める趣旨である。
【００２２】
また、上記塗膜Ａの厚みは、特に限定されないが、適正な強度を有するとともに、上記加硫ゴム成形体１３およびダイヤフラム１４の変形に対する追従性を好適にする観点から、１００〜１０００μｍの範囲内に設定されることが好ましい。
【００２３】
つぎに、上記エンジンマウントの製法について説明する。
【００２４】
まず、加硫ゴム成形体１３を成形するための金型を準備し、その金型の所定位置に、上部保持部材１１および筒状体１８をセットする。そして、加硫ゴム成形体１３の材料である未加硫ゴム組成物を充填した後、加熱することにより、上部保持部材１１と加硫ゴム成形体１３と筒状体１８とを一体化する。ついで、予め加熱成形していたダイヤフラム１４を準備し、密封される液体１５と接触する加硫ゴム成形体１３の下端部の凹部状表面（加硫ゴム成形体１３の下面）およびダイヤフラム１４の表面（上面）に、塗膜Ａの材料をディッピング，スプレー等により塗布した後、硬化させる。つぎに、密封される液体１５が収容された液槽内で、上記上部保持部材１１と加硫ゴム成形体１３と筒状体１８とからなる一体化物のうち筒状体１８の下端部に、上記仕切り部材１６とダイヤフラム１４と下部保持部材１２とを内嵌させた後、液槽から取り出す。このようにして、加硫ゴム成形体１３とダイヤフラム１４との間に液体１５を封入する。その後、上記筒状体１８の下端部をかしめ、上記液体１５を密封する。このようにして、上記エンジンマウントを作製することができる。
【００２５】
なお、上記塗膜Ａの形成において、塗膜Ａを形成する加硫ゴム成形体１３やダイヤフラム１４の材料が天然ゴムである場合は、塗膜Ａの密着性を向上させるために、塗膜Ａの材料を塗布するのに先立って、その加硫ゴム成形体１３やダイヤフラム１４の表面に対して、酸処理等の下地処理および熱処理の少なくとも一方を施すことが好ましい。
【００２６】
図２および図３は、本発明の液体封入型防振装置の他の実施の形態を示している。この実施の形態では、本発明の液体封入型防振装置の一例として、自動車用のサスペンションブッシュについて説明する。このサスペンションブッシュは筒形状のものであり、その構成は、つぎのようになっている。すなわち、このサスペンションブッシュの中心部には、軸に沿って円筒状の内側保持部材２１が設けられており、この内側保持部材２１の外周面には、振動吸収用の加硫ゴム成形体２３が同軸的に一体的に形成されている。また、この加硫ゴム成形体２３の軸方向中央部分には、液体２５を収容するための凹部２３ａが軸対称に２個所形成されており、これら２個所の凹部２３ａは、加硫ゴム成形体２３内に形成された流路２９により連通している。さらに、上記凹部２３ａに対応する、内側保持部材２１の外周面部分とその外側の加硫ゴム成形体２３の間には、樹脂からなる仕切り部材２６が全周にわたって設けられている。これにより、各凹部２３ａの底部が突出し、その突出部分により、凹部２３ａが軸方向に２室に仕切られている。そして、その突出部分（仕切り部）の外周部は、仕切られた２室に連通する流路が狭くなったオリフィス２７に形成されている。さらに、上記加硫ゴム成形体２３の上記凹部２３ａ以外の外周面部分には、中間筒部材２８が外嵌されており、その外側には、加硫ゴムからなる円筒状のシール層（加硫ゴム層）２４を介して、円筒状の外側保持部材２２が同軸的に設けられている。そして、上記凹部２３ａに対応する加硫ゴム成形体２３とシール層２４とで囲まれる空間に、図１に示す実施の形態と同様の液体２５が密封されており、その加硫ゴム成形体２３の、上記液体２５が接する部分、および円筒状のシール層２４の内周面（上記液体２５が接する部分およびそれ以外の部分）に、図１に示す実施の形態と同様の塗膜Ａが形成されている。
【００２７】
このサスペンションブッシュは、円筒状の外側保持部材２２の外周面を当接面として、フレームやサスペンションアーム等に圧入され、円筒状の内側保持部材２１の中空部に、ダンパーの軸部やボルト等が挿入されるようになっている。そして、動作において、このサスペンションブッシュに対し、ダンパー等から加わる振動は、加硫ゴム成形体２３で減衰され、さらに、その周りの液体密封空間内で、オリフィス２７や流路２９を通って流動する液体２５により減衰され、フレーム等には、緩やかに伝えられる。
【００２８】
このサスペンションブッシュについても、上記エンジンマウントと同様に、上記塗膜Ａは、加硫ゴムからなる加硫ゴム成形体２３およびシール層２４から老化防止剤が液体２５に溶出するのを防止し、上記サスペンションブッシュ（液体封入型防振装置）の耐久性や動特性を良好にしている。
【００２９】
このサスペンションブッシュの製法は、つぎのようにして行われる。すなわち、まず、内側保持部材２１に仕切り部材２６を外嵌させ、これを中間筒部材２８とともに、加硫ゴム成形体２３を成形するための金型の所定位置にセットする。そして、加硫ゴム成形体２３の材料である未加硫ゴム組成物を充填した後、加熱することにより、内側保持部材２１と加硫ゴム成形体２３と中間筒部材２８とを一体化する。ついで、予め外側保持部材２２の内周面にシール層２４を形成していたものを準備し、密封される液体２５と接触する加硫ゴム成形体２３の２個所の凹部２３ａの表面およびこれらを連通する流路２９の内周面ならびにシール層２４の内周面に、塗膜Ａの材料をディッピング，スプレー等により塗布した後、硬化させる。つぎに、密封される液体２５が収容された液槽内で、内側保持部材２１と加硫ゴム成形体２３と中間筒部材２８とからなる一体化物を、上記シール層２４付き外側保持部材２２に挿入した後、外側保持部材２２を縮径加工し、外側保持部材２２の両端開口縁を内側にかしめる。その後、液槽から取り出す。このようにして、上記サスペンションブッシュを作製することができる。
【００３０】
なお、図１に示す実施の形態では、下部保持部材１２にダイヤフラム１４を設け、このダイヤフラム１４と加硫ゴム成形体１３との間の空間を液体密封空間としたが、液体密封空間は、これに限定されるものではなく、例えば、ダイヤフラム１４を設けず、下部保持部材１２と加硫ゴム成形体１３との間の空間を液体密封空間としてもよいし、下部保持部材１２に他の加硫ゴム成形体を一体形成し、この加硫ゴム成形体と上記加硫ゴム成形体１３との間の空間を液体密封空間としてもよい。また、図２に示す実施の形態では、外側保持部材２２の内周面にシール層２４を形成し、このシール層２４と加硫ゴム成形体２３の凹部２３ａとの間の空間を液体密封空間としたが、液体密封空間は、これに限定されるものではなく、例えば、シール層２４を形成せず、外側保持部材２２と加硫ゴム成形体２３の凹部２３ａとの間の空間を液体密封空間としてもよい。
【００３１】
つぎに、実施例について比較例と併せて説明する。
【実施例１】
【００３２】
加硫ゴム成形体に相当するものとして天然ゴム（ＮＲ）からなるＪＩＳ５号ダンベル形状の試験片を作製し、その表面をトルエンで洗浄した。そして、その表面に、Ｈ−ＮＢＲを含有するゴム組成物（ＨＰＣ−５Ｂ、ロード社製）からなる液体材料をディッピングにより塗布した後、室温（２５℃）にて２４時間乾燥させ、塗膜を形成した。その塗膜の厚みは２００μｍであった。なお、塗膜の厚みは、上記試験片を切断し、その切断面における塗膜の厚みを電子顕微鏡を用いて任意の１０箇所で測定し、それらの平均値をとった。
【実施例２】
【００３３】
上記実施例１において、塗膜の厚みを３００μｍとした。それ以外は、上記実施例１と同様にした。
【実施例３】
【００３４】
上記実施例１において、塗膜の厚みを７００μｍとした。それ以外は、上記実施例１と同様にした。
【実施例４】
【００３５】
上記実施例２において、塗膜の液体材料の塗布に先立って、試験片の表面を酸処理（下地処理）した（ロード社製ケムロック７７０１を刷毛で塗布した）。それ以外は、上記実施例２と同様にした。
【実施例５】
【００３６】
上記実施例２において、塗膜形成後、加熱処理（８０℃×２時間）した。それ以外は、上記実施例２と同様にした。
【実施例６】
【００３７】
上記実施例５において、塗膜形成後の加熱処理を１００℃×２時間とした。それ以外は、上記実施例５と同様にした。
【実施例７】
【００３８】
上記実施例２において、塗膜の液体材料であるゴム組成物を、フッ素ゴムを含有するＨＰＣ−３Ｂ（ロード社製）に添加剤ＨＰＣ−３  ｃｕｒａｔｉｖｅ（ロード社製）を加えたものに変えた。添加剤ＨＰＣ−３  ｃｕｒａｔｉｖｅの添加量は、ＨＰＣ−３Ｂ１００重量％に対して２．５重量％とした。それ以外は、上記実施例２と同様にした。
【実施例８】
【００３９】
上記実施例１において、ＪＩＳ５号ダンベル形状を、ダイヤフラムに相当するものとしてブチルゴム（ＩＩＲ）からなるものとした。それ以外は、上記実施例１と同様にした。
【実施例９】
【００４０】
上記実施例８において、塗膜の厚みを２００μｍとした。それ以外は、上記実施例８と同様にした。
【実施例１０】
【００４１】
上記実施例８において、塗膜の厚みを３００μｍとした。それ以外は、上記実施例８と同様にした。
【実施例１１】
【００４２】
上記実施例９において、塗膜の液体材料であるゴム組成物をＨＰＣ−３Ｂ（ロード社製）に変えた。それ以外は、上記実施例９と同様にした。
【００４３】
〔比較例１〕
上記実施例１において、試験片の表面をトルエンで洗浄した後、何もしなかった。それ以外は、上記実施例１と同様にした。
【００４４】
〔比較例２〕
上記実施例８において、試験片の表面をトルエンで洗浄した後、何もしなかった。それ以外は、上記実施例８と同様にした。
【００４５】
〔耐液物性〕
このようにして得られた実施例１〜１１および比較例１，２の各試験片の破断強度（ＴＢ），破断伸び（ＥＢ），硬度（Ｈｓ）を、ＪＩＳ  Ｋ６２５１に準拠して測定した。この測定は、エチレングリコール（７０重量％）／ピロピレングリコール（３０重量％）の液体中に、各試験片を浸漬（１００℃×２５０時間）させる前と後とで行い、その浸漬前後での変化率〔硬度（Ｈｓ）については変化ポイント量〕を算出した。そして、その結果を、下記の表１，２に併せて表記した。
【００４６】
〔老化防止剤の溶出性〕
上記浸漬後の液体における、老化防止剤の溶出量を測定した。そして、その結果を、下記の表１，２に併せて表記した。この溶出量は、比較例１，２（塗膜なし）の溶出量を１．０とした場合の比率として表した。なお、この測定には、液体クロマトグラフー測定器（日本分光社製）を用い、単位重量あたりの老化防止剤に起因するピーク面積より算出した。
【００４７】
【表１】
2007205550.tif 000003
【００４８】
【表２】
2007205550.tif 000004
【００４９】
上記表１，２の結果から、実施例１〜１１では、比較例１，２と比較して、耐液物性にも優れ、老化防止剤の溶出性も低いことがわかる。そして、この老化防止剤の溶出性の低下から、塗膜が有効に効果を発揮していることがわかる。
【図面の簡単な説明】
【００５０】
【図１】本発明の液体封入型防振装置の一実施の形態を示す断面図である。
【図２】本発明の液体封入型防振装置の他の実施の形態を示す断面図である。
【図３】図２のＸ−Ｏ−Ｘ断面図である。
【図４】従来の液体封入型防振装置を示す断面図である。
【符号の説明】
【００５１】
Ａ  塗膜
１１  上部保持部材
１２  下部保持部材
１３  加硫ゴム成形体
１４  ダイヤフラム
１５  液体
１６  仕切り部材
１７  オリフィス
【図１】
2007205550.tif 000005
【図２】
2007205550.tif 000006
【図３】
2007205550.tif 000007
【図４】
2007205550.tif 000008